(57)【特許請求の範囲】
【請求項１】
外チューブと内チューブとからなり、前記外チューブの口頸部の内側に前記内チューブの口頸部の外側が固定され、前記外チューブと前記内チューブの間には、隙間が設けられ、
前記外チューブの口頸部の内側に設けられたリング状の凹凸と、前記内チューブの口頸部の外側に設けられたリング状の凹凸とが嵌合することによって、固定され、
前記外チューブの口頸部の内側に設けられた内側に突出するリング状の内側突起が、前記内チューブの口頸部の外側に上下で設けられた外側に突出するリング状の、外側上突起と外側下突起の間に嵌合することによって、固定され、
前記内チューブの外側上突起は、上面が傾斜面を有していることを特徴とするチューブ容器。
【請求項２】
前記外チューブの内側突起は、下面が傾斜面を有していることを特徴とする請求項１に記載のチューブ容器。
【請求項３】
前記内チューブの外側上突起は、下面が前記内チューブの口頸部の軸方向と略直角になっており、前記外チューブの内側突起は、上面が前記外チューブの口頸部の軸方向と略直角になっていることを特徴とする請求項１又は２に記載のチューブ容器。
【請求項４】
前記内チューブの外側下突起は断面かまぼこ状となっていることを特徴とする請求項１乃至３のいずれか１項に記載のチューブ容器。
【請求項５】
同時に溶着される範囲で、前記外チューブの口頸部の上端より、前記内チューブの口頸部の上端が、上方にあることを特徴とする請求項１乃至４のいずれか１項に記載のチューブ容器。
【請求項６】
前記外チューブの口頸部の上端より、前記内チューブの口頸部の上端が、０．０５ｍｍから０．２５ｍｍの範囲で、上方にあることを特徴とする請求項５に記載のチューブ容器。
【発明の詳細な説明】
【技術分野】
【０００１】
本発明は、チューブ容器に関するものである。
【背景技術】
【０００２】
ペースト状などの流動性の低い内容物を包装して、絞り出すようにして用いるチューブ容器は、食品、歯磨剤、医薬品、化粧品、絵具、接着剤などに幅広く用いられている。このチューブ容器は、断面が円状或いは楕円状で筒状の胴部と,胴部上端より上方に向かって細くなっている肩部と、肩部の上端より伸びて、内容物を絞り出す口部が先端に設けられた口頸部からなっている。
【０００３】
チューブ容器は、アルミニウムやスズ、鉛などの金属をインパクト成形した金属製のチューブ容器が用いられていた。その後、プラスチック樹脂を押出機から筒状に押出し、金型に入れて空気などを吹き込んで膨らませた、ブロー成型チューブ容器が用いられるようになった。
【０００４】
また、積層フィルムを筒状に巻いて胴部を形成し、これを金型に入れてインジェクション成形などで、肩部と口頸部を成形と同時に一体としてチューブ容器とする、ラミネートチューブ容器と呼ばれているチューブ容器もある。
【０００５】
このラミネートチューブ容器には、バリア性を持たせるために、アルミニウム箔などの金属箔を積層した積層フィルムを胴部に用いたラミネートチューブ容器があった（例えば、特許文献１）。
【０００６】
また、アルミニウム箔などの金属箔は、バリア性はきわめて高いが、不透明であるので、これを用いたラミネートチューブ容器は不透明であった。そこで高いバリア性とともに、内容物が透視可能なラミネートチューブ容器が求められ、酸化ケイ素などの金属酸化物を蒸着した透明な蒸着フィルムを積層した積層フィルムが、胴部に使用されるようになり、透明なラミネートチューブ容器が用いられるようになった（例えば、特許文献２）。
【０００７】
一方、変形及び復元の可能な胴部を有する外チューブと、内容物の吐出量に応じた変形により減容可能な内チューブからなり、外観を損なうことなく効率的に内容物を吐出させることができる二重チューブ容器がある。
【０００８】
この二重容器は、内チューブが、積層のブロー成形体で、その少なくとも一層がガスバリア層、又は、ガス吸収層からなっていて、そして、内チューブの筒状部(口頸部)の上端付近の外側面に環状の縁部（突起）を備え、この環状の縁部（突起）で外チューブの筒状部(口頸部)の上端に固定されるようになっている（特許文献３）。
【０００９】
また、べつの二重チューブ容器では、外（筒）チューブの口部先端を、内（筒）チューブの口部先端によって、二重に折曲して覆い、この折曲部外周を中栓体で圧接密着させた二重チューブ容器があった（特許文献４）。
【００１０】
公知文献を以下に示す。
【先行技術文献】
【特許文献】
【００１１】
【特許文献１】実開昭５５−１７３４５５号公報
【特許文献２】実開平４−５４８４２号公報
【特許文献３】特開２００８−１７９３８７号公報
【特許文献４】特開平７−２７７３４９号公報
【発明の概要】
【発明が解決しようとする課題】
【００１２】
前述の、金属箔や、金属酸化物蒸着フィルムなどのバリア層を積層した積層フィルムを胴部に用いたラミネートチューブ容器では、ラミネートチューブ容器全体としては、バリア性が高められているが、胴部を形成する積層フィルムを筒状に巻いて、その端部どうしをヒートシールなどで接合させた接合部分、また、筒状の胴部と肩部の接合部分などでは、バリア層以外のバリア性のない層や、バリア層の途切れている部分から、ガスの透過があり、バリア性が低くなっている。
【００１３】
このようなチューブ容器に、流動性の低い内容物を充填すると、時間とともに、チューブ容器のバリア性の低い部分に接している、或いは、その周辺にある内容物には、透過してきた酸素や水蒸気などによって劣化が起こる。また、内容物の成分の気散による劣化も起こる。
【００１４】
チューブ容器全体としては、バリア性が充分であっても、このように、内容物の特定の部分では劣化してしまうことがあっては、商品として問題がある。特に、これらの劣化が、変色などの外観の変化を伴うものでは、チューブ容器の外側より内容物を見たり、絞り出した内容物を見たりしたときに、色などの外観が異なる部分があって、商品として問題がある。
【００１５】
本発明は上記した事情に鑑みてなされたもので、チューブ容器の接合部などのバリア性が低い部分に接している、或いは、その周辺にある内容物に生じ得る部分的な劣化や、劣化に伴って起きる部分的な変色を防止できるチューブ容器を提供することを課題としている。
【課題を解決するための手段】
【００１６】
本発明の請求項１に係る発明は、外チューブと内チューブとからなり、前記外チューブの口頸部の内側に前記内チューブの口頸部の外側が固定され、前記外チューブと前記内チューブの間には、隙間が設けられ、
前記外チューブの口頸部の内側に設けられたリング状の凹凸と、前記内チューブの口頸部の外側に設けられたリング状の凹凸とが嵌合することによって、固定され、
前記外チューブの口頸部の内側に設けられた内側に突出するリング状の内側突起が、前記内チューブの口頸部の外側に上下で設けられた外側に突出するリング状の、外側上突起と外側下突起の間に嵌合することによって、固定され、
前記内チューブの外側上突起は、上面が傾斜面を有していることを特徴とするチューブ容器である。
【００１７】
本発明のチューブ容器は、上記構成からなっていて、外チューブの口頸部の内側に内チューブの口頸部の外側が固定され、外チューブと内チューブの間に、隙間が設けられているので、外チューブの接合部などにバリア性が低い部分があっても、内容物が内チューブに充填されていて、間に隙間があるので、外チューブのバリア性が低い部分に接している、或いは、その周辺にある、内容物に生じ得る部分的な劣化や、劣化に伴って起きる部分的な変色が起きることがなく、内チューブ内の内容物全体に影響が分散される。
本発明のチューブ容器は、更に、外チューブの口頸部の内側に設けられたリング状の凹凸と、内チューブの口頸部の外側に設けられたリング状の凹凸とが嵌合することによって、固定されているので、外チューブの口頸部の内側と、内チューブの口頸部の外側との固定が簡単に行われる。
また、本発明のチューブ容器は、外チューブの口頸部の内側に設けられた内側に突出するリング状の内側突起が、前記内チューブの口頸部の外側に上下で設けられた外側に突出するリング状の、外側上突起と外側下突起の間に嵌合することによって、固定されているので、外チューブの口頸部の内側と、内チューブの口頸部の外側との固定が、簡単に行われ、且つ、しっかりと密着して固定することができる。
また、本発明のチューブ容器は、前記内チューブの外側上突起は、上面が傾斜面を有しているので、外チューブの口頸部に、内チューブの口頸部を、内側から挿入するときに、挿入しやすい。
【００１８】
本発明の請求項２に係る発明は、前記外チューブの内側突起は、下面が傾斜面を有していることを特徴とする請求項１に記載のチューブ容器である。
【００１９】
本発明のチューブ容器は、更に、前記外チューブの内側突起は、下面が傾斜面を有しているので、内チューブの口頸部を、内側から挿入するときに、更に挿入しやすい。
【００２０】
本発明の請求項３に係る発明は、前記内チューブの外側上突起は、下面が前記内チューブの口頸部の軸方向と略直角になっており、前記外チューブの内側突起は、上面が前記外チューブの口頸部の軸方向と略直角になっていることを特徴とする請求項１又は２に記載のチューブ容器である。
【００２１】
本発明のチューブ容器は、前記内チューブの外側上突起は、下面が前記内チューブの口頸部の軸方向と略直角になっており、前記外チューブの内側突起は、上面が前記外チューブの口頸部の軸方向と略直角になっているので、外チューブの口頸部に、内チューブの口頸部を、内側から、一旦挿入すると、抜けないようになっている。
【００２２】
本発明の請求項４に係る発明は、前記内チューブの外側下突起は断面かまぼこ状となっていることを特徴とする請求項１乃至３のいずれか１項に記載のチューブ容器である。
【００２３】
本発明のチューブ容器は、前記内チューブの外側下突起は断面かまぼこ状となっているので、外チューブの内側突起を押し上げるようになって、これにより、外チューブのリング状の内側突起が、内チューブの口頸部の上下に設けられた、外側上突起と外側下突起の間に、しっかりと、嵌合されて固定される。
【００２４】
本発明の請求項５に係る発明は、同時に溶着される範囲で、前記外チューブの口頸部の上端より、前記内チューブの口頸部の上端が、上方にあることを特徴とする請求項１乃至
４のいずれか１項に記載のチューブ容器である。
【００２５】
本発明のチューブ容器は、同時に溶着される範囲で、外チューブの口頸部の上端より、内チューブの口頸部の上端が、上方にあるので、インナーシールを溶着するときに、インナーシールの溶着が、内チューブの口頸部の上端にしっかり溶着され、同時に外チューブの口頸部にも溶着することができる。
【００２６】
本発明の請求項６に係る発明は、前記外チューブの口頸部の上端より、前記内チューブの口頸部の上端が、０．０５ｍｍから０．２５ｍｍの範囲で、上方にあることを特徴とする請求項５に記載のチューブ容器である。
【００２７】
本発明のチューブ容器は、外チューブの口頸部の上端より、内チューブの口頸部の上端が、０．０５ｍｍから０．２５ｍｍの範囲で、上方にあるので、インナーシールをキャップに装填して、外チューブの口頸部にキャッピングして、高周波シールにより、インナーシールを溶着するときに、内チューブの口頸部の上端が、インナーシールに接し、且つ、周縁部が下がったインナーシールが、外チューブの口頸部の上端に触れて、インナーシールの溶着が、内チューブの口頸部の上端にしっかり溶着され、同時に外チューブの口頸部にも溶着することができる。
【発明の効果】
【００２８】
本発明の包装体は、チューブ容器の接合部などのバリア性が低い部分に接している、或いは、その周辺にある内容物に生じ得る部分的な劣化や、劣化に伴って起きる部分的な変色を防止することができる。
【図面の簡単な説明】
【００２９】
【図１】本発明のチューブ容器の一例の上部を模式的に示した説明図である。
【図２】本発明のチューブ容器の一例を模式的に示した説明図である。
【図３】（Ａ）本発明のチューブ容器の一例の外チューブを模式的に示した正面図である。（Ｂ）本発明のチューブ容器の一例の内チューブを模式的に示した正面図である。
【図４】本発明のチューブ容器の一例にインナーシールとキャップをした状態の上部を模式的に示した説明図である。
【図５】本発明のチューブ容器の一例で、外チューブに内チューブを、押し込み固定する状況を模式的に示した説明図である。
【図６】本発明のチューブ容器の一例に用いる面子を模式的に示した説明図である。
【図７】（Ａ）〜（Ｂ）本発明のチューブ容器の一例の胴部下端をシールする工程を示した説明図である。
【発明を実施するための形態】
【００３０】
以下本発明を実施するための形態につき説明する。
図１は、本発明のチューブ容器の一例の上部を模式的に示した説明図である。外チューブを断面で示し、内チューブは、外形で示している。図２は、本発明のチューブ容器の一例の全体の外形を模式的に示した説明図である。図３（Ａ）は、本発明のチューブ容器の一例の外チューブを模式的に示した正面図である。図３（Ｂ）は、本発明のチューブ容器の一例の内チューブを模式的に示した正面図である。
【００３１】
本例のチューブ容器は、図３のように、外チューブ１０と内チューブ２０とからなっていて、外チューブ１０は、胴部１１と、胴部１１の上端より上方に向かって細くなっている肩部１２と、肩部１２の上端より伸びて、開口部が先端に設けられた口頸部１３からなっている。また、外チューブ１０の口頸部１３の外周には、スクリューキャップと螺合する螺子１３１が設けられている。
【００３２】
内チューブ２０も、胴部２１と、胴部２１の上端より上方に向かって細くなっている肩部２２と、肩部２２の上端より伸びて、内容物を絞り出す口部が先端に設けられた口頸部２３からなっている。内チューブ２０の口頸部２３の外周には、外側上突起２３１と外側下突起２３２が、上下に間隔をあけて設けられている。
【００３３】
図１、図２のように、外チューブ１０の口頸部１３の内側に、内チューブ２０の口頸部２３の外側が固定されている。固定は、外チューブ１０の口頸部１３の内側に設けられた内側に突出するリング状の内側突起１３２が、内チューブ２０の口頸部２３の外側に上下で設けられた、外側に突出するリング状の外側上突起２３１と外側下突起２３２との間に嵌合することによって、固定されている。そして、外チューブ１０と内チューブ２０の間には、隙間３０が設けられている。
【００３４】
本例では、外チューブ１０に設けた１つの内側突起１３２を、内チューブ２０に設けた２つの外側上突起２３１と外側下突起２３２の間に嵌合させたが、逆に外チューブに設けた２つのリング状突起の間に、内チューブ２０に設けた１つのリング状の突起を嵌合させて、固定してもよい。
【００３５】
また、外チューブ１０にリング状の溝を設けて、内チューブ２０に設けたリング状の突起を、リング状の溝に嵌合させてもよいし、また、その逆に、内チューブ２０にリング状の溝を設けて、外チューブ１０に設けたリング状の突起を、リング状の溝に嵌合させてもよい。
【００３６】
即ち、外チューブ１０の口頸部１３の内側に設けられたリング状の溝、あるいは、突起からなる凹凸と、内チューブ２０の口頸部２３の外側に設けられたリング状の溝、あるいは、突起からなる凹凸とが嵌合することによって、外チューブ１０の口頸部１３の内側に、内チューブ２０の口頸部２３の外側が固定されていて、外チューブ１０と内チューブ２０の間に、隙間３０が設けられていればよい。
【００３７】
本例の内チューブ２０の口頸部２３の外側に設けられた外側上突起２３１は、上面が、口頸部２３の軸方向と鋭角となる緩やかな傾斜面からなり、下面が、軸方向と略直角になっている。
【００３８】
一方、外チューブ１０の口頸部１３の内側に設けられた内側突起１３２は、上面が、口頸部１３の軸方向と略直角になっていて、下面が、軸方向と鋭角となる緩やかな傾斜面になっている。
【００３９】
これにより、外チューブ１０の口頸部１３に、内チューブ２０の口頸部２３を、内側から挿入するときに、挿入しやすく、一旦挿入すると、抜けないようになっている。また、内チューブ２０の外側下突起２３２は断面かまぼこ状となっている。
【００４０】
この断面かまぼこ状の外側下突起２３２により、外チューブ１０の内側突起１３２を押し上げるようになって、これにより、外チューブ１０のリング状の内側突起１３２が、内チューブ２０の口頸部２３の上下に設けられた、外側上突起２３１と外側下突起２３２の間に、しっかりと、嵌合されて固定されている。
【００４１】
そして、外チューブ１０の口頸部１３の内側に内チューブ２０の口頸部２３の外側が固定された、口頸部１３と口頸部２３で、外チューブ１０の口頸部１３の上端より、内チューブ２０の口頸部２３の上端が、上方にあり、飛び出ている。
【００４２】
図４は、本発明のチューブ容器の一例にインナーシールとキャップをした状態の上部を模式的に示した説明図である。
【００４３】
前記のように、外チューブ１０の口頸部１３の内側に内チューブ２０の口頸部２３の外側が固定された状態で、外チューブ１０の口頸部１３の上端より、内チューブ２０の口頸部２３の上端が、上方にあり、飛び出ている。これは、インナーシール４０を溶着するときに、内チューブ２０の口頸部２３の先端の口部に、インナーシール４０がしっかりと溶着するためである。
【００４４】
インナーシール４０を装填したキャップ５０を、外チューブ１０の口頸部１３にキャッピングして、高周波シールにより、インナーシール４０を溶着するとき、図４のように、内チューブ２０の口頸部２３の上端が、インナーシール４０に接し、且つ、キャップ５０により押されて、周縁部が下がったインナーシール４０が、外チューブ１０の口頸部１３の上端に触れていて、同時に溶着される範囲で、前記外チューブの口頸部の上端より、前記内チューブの口頸部の上端が、上方になっている。
【００４５】
これにより、インナーシール４０が、内チューブ２０の口頸部２３の上端にしっかり溶着され、同時に外チューブ１０の口頸部１３にも溶着することができる。
【００４６】
そのため、外チューブ１０の口頸部１３の上端より、内チューブ２０の口頸部２３の上端が、０．０５ｍｍから０．２５ｍｍの範囲で、上方にあることが好ましい。０．０５ｍｍより小さいと、内チューブ２０の口頸部２３の先端の口部への溶着が不完全になる恐れがあり、また、０．２５ｍｍより大きいと、外チューブ１０の口頸部１３に溶着されない
恐れがある。
【００４７】
本例のチューブ容器では、以上のようにして内チューブ２０の口頸部２３の外側上突起２３１と外側下突起２３２の間に、外チューブ１０の口頸部１３の内側突起１３２が嵌合されてしっかりと固定され、そして、外チューブ１０と内チューブ２０の間に隙間３０を設けたので、外チューブ１０でバリア性の低くなる肩部１２と胴部１１の接合部分が、内チューブ２０から確実に隙間３０で隔てられるように固定される効果がある。
【００４８】
それにより、肩部１２と胴部１１の接合部分が、内チューブ２０に接することが無く、内チューブ２０と外チューブ１０とからなる本例のチューブ容器が、良好なバリア性を持つことができる効果がある。
【００４９】
以下、本発明のチューブ容器の一例の製造方法について記載する。
図５は、本発明のチューブ容器の一例に用いる面子を模式的に示した説明図である。図６は、本発明のチューブ容器の一例で、外チューブに内チューブを、押し込み固定する状況を模式的に示した説明図である。図７（Ａ）〜（Ｂ）は、本発明のチューブ容器の一例の胴部下端をシールする工程を示した説明図である。
【００５０】
本例のチューブ容器の外チューブ１０は、ラミネートチューブ容器である。その製造方法は、まず、ラミネートされた積層フィルムを筒状に巻いて、端部どうしを重ね合わせて、接着して筒状の胴部材とする。
【００５１】
積層フィルムは、表裏の熱溶融性樹脂層の間にバリア層を設けた積層フィルムを用いる。バリア層としては、アルミニウム箔などの金属箔、アルミニウムなどの金属や無機酸化物を蒸着した蒸着フィルム、あるいは、エチレンビニルアルコール共重合体、ナイロンＭＸＤ６、ポリアクリロニトリルなどのガスバリア性のある樹脂のフィルムを用いることができる。
【００５２】
表裏に用いる熱溶融性樹脂層としては、ポリエチレン、ポリプロピレン、線状低密度ポリエチレン等のポリオレフィン系樹脂フィルムが好ましく使用できる。また、熱溶融性樹脂層とバリア層の間に、他の樹脂層などがあってもかまわない。
【００５３】
また、肩部１２にバリア性を持たせるように、バリア層を設けた面子６０を肩部１２に積層させるために用意する。図５のように、面子６０は、中心に穴６１の開いた円形のフィルムで、中心の穴６１から外に向かって放射線状に切れ込み６２と、外周から中心に向かって放射線状に切れ込み６３が設けられている。
【００５４】
面子６０の円形のフィルムには、表裏の熱溶融性樹脂層の間にバリア層を設けた積層フィルムを用いる。熱溶融性樹脂層としては、胴部材の積層フィルムに用いるものと、同系の熱溶融性樹脂を用いる。また、バリア層としては、アルミニウム箔などの金属箔、アルミニウムなどの金属や無機酸化物を蒸着した蒸着フィルム、あるいは、エチレンビニルアルコール共重合体、ナイロンＭＸＤ６、ポリアクリロニトリルなどのガスバリア性のある樹脂のフィルムを用いる。
【００５５】
そして、インジェクション成形の金型に、面子６０を肩部１２の位置に、面子６０の穴の中心線を、外チューブ１０の口頸部１３の中心線と合わせ、筒状の胴部材と共にセットし、肩部１２と口頸部１３の成形と同時に一体化して、胴部１１の下端が開放された外チューブ１０を作成する。成形に用いる樹脂は、胴部材や面子６０の積層フィルムに用いるものと、同系の熱溶融性樹脂を用いる。
【００５６】
内チューブ２０は、バリア性が要求されないので、熱溶融性樹脂の単層のブロー成形チューブ容器でかまわない。ブロー成形チューブ容器を成形後、胴部２１の下端部は、切断するなどして開放しておく。用いる熱溶融性樹脂としては、ブロー成形が可能で、胴部の下端を溶融接着できて、可撓性があればよい。
【００５７】
このようにして製造された、外チューブ１０と内チューブ２０を用いて、図６のように、外チューブ１０の胴部１１の下端より、内チューブ２０の口頸部２３を先にして挿し込み、内チューブ２０の肩部２２の形状に合わせた、先端が円錐形状の押し棒７０で内チューブ２０の口頸部２３を、外チューブ１０の口頸部１３に押し込む。
【００５８】
これによって、図１のチューブ容器のように、外チューブ１０の口頸部１３の内側に設けられた内側に突出するリング状の内側突起１３２が、内チューブ２０の口頸部２３の外側に上下で設けられた外側に突出するリング状の、外側上突起２３１と外側下突起２３２の間に嵌合され、固定される。
【００５９】
この内チューブ２０の口頸部２３を、外チューブ１０の口頸部１３に押し込むとき、外側上突起２３１と外側下突起２３２の間に、接着剤や、シーリング剤を塗布しておいて、内側突起１３２と、外側上突起２３１や外側下突起２３２の間に接着剤や、シーリング剤を設けて、気密性を高め、固定しても良い。
【００６０】
このようにして、外チューブ１０の口頸部１３の内側に、内チューブ２０の口頸部２３の外側が固定されて一体となったチューブ容器の、外チューブ１０の胴部１１の下端と、内チューブ２０の胴部２１の下端は、外チューブ１０の胴部１１の下端が長く下に延びていることが好ましい。
【００６１】
次に、キャップ５０の内側にインナーシール４０をセットして、外チューブ１０の口頸部１３にキャッピングする。キャップの外側から、高周波シールによって、インナーシール４０を、外チューブ１０の口頸部１３の先端の開口部、および、内チューブ２０の口頸部２３の先端の口部を塞ぐようにシール密封する。
【００６２】
インナーシール４０は、少なくとも、高周波によって発熱する導体層と、外チューブ１０の口頸部１３の先端の開口部、および、内チューブ２０の口頸部２３の先端の口部に融着する熱溶融性樹脂層からなる。導体層として、バリア性もあるアルミニウム箔を設け、熱溶融性樹脂層としては、外チューブ１０の口頸部１３、および、内チューブ２０の口頸部２３と同系の熱溶融性樹脂を用いることが好ましい。
【００６３】
このチューブ容器の内チューブ２０の開放されている胴部２１の下端から内容物を充填する。そして、内チューブ２０の胴部２１の下端を、外チューブ１０の胴部１１の外側からシールする。シールは熱板シールや超音波シールによって行う。
【００６４】
これによって、図７（Ａ）のように、内チューブ２０の胴部２１の下端はその内面同士でシールされ、シール部２１１が形成される。また、外チューブ１０の胴部１１の下端の近傍でその上方に、胴部１１の内面同士でシールされたシール部１１１が形成される。
【００６５】
次に、外チューブ１０の胴部１１の下端をシールする。これにより、図７（Ｂ）のように、シール部１１２が形成される。これにより、内チューブ２０の胴部２１の下端も、外チューブ１０の胴部１１の下端も確実にシールされ、密封される。また、外チューブ１０の胴部１１の下端の切断面は、外チューブ１０の胴部１１のみが見えて、外観上好ましい。
【００６６】
また、先に設けたシール部１１１の下端部に重ねて、シールを行い、シール部１１２をシール部１１１と一部重なるようにすると、胴部１１の表面が、凹凸にならないので、外観がきれいに仕上がる。
【００６７】
本例では、外チューブ１０に内チューブ２０を固定した後に、内容物を充填して、それぞれの胴部１１、２１の下端部をシールしたが、内チューブ用の熱溶融性樹脂単層のインナーシールで開口部を密封した内チューブ２０に内容物を充填して、内チューブ２０の胴部２１の下端をシールして、外チューブ１０の内側に挿入して、外チューブ１０の口頸部１３の内側に内チューブ２０の口頸部２３の外側を固定してもよい。
【００６８】
このあと、外チューブ１０の胴部１１の下端を、内チューブ２０の胴部２１の下端に重ならない範囲で、シールして密封することによって、内チューブ２０の胴部２１の下端に外チューブ１０の胴部１１の下端にもうけたシール部が重ならないので、チューブ容器の下端が、外観上きれいになる。
【００６９】
更に、キャップ５０の内側にインナーシール４０をセットして、外チューブ１０の口頸部１３にキャッピングし、キャップの外側から、高周波シールによって、インナーシール４０を、内チューブ２０の開口部の内チューブ用の熱溶融性樹脂単層のインナーシールとシールするのと同時に、外チューブ１０の口頸部１３の先端の開口部を塞ぐようにシール密封する。本方法によって製造されたチューブ容器も、同様な効果が得られる。
【００７０】
以上にように、本発明のチューブ容器は、外チューブにバリア性が低い部分があっても、内容物が充填されている内チューブと外チューブの間に隙間があるので、外チューブのバリア性が低い部分に接している、或いは、その周辺にある、内容物に生じ得る部分的な劣化や、劣化に伴って起きる部分的な変色が起きることがない。
【符号の説明】
【００７１】
１０・・・外チューブ
１１・・・胴部
１１１、１１２・・・シール部
１２・・・肩部
１３・・・口頸部
１３１・・・螺子
１３２・・・内側突起
２０・・・内チューブ
２１・・・胴部
２１１・・・シール部
２２・・・肩部
２３・・・口頸部
２３１・・・外側上突起
２３２・・・外側下突起
３０・・・隙間
４０・・・インナーシール
５０・・・キャップ
６０・・・面子
６１・・・穴
６２・・・切れ込み
６３・・・切れ込み
７０・・・押し棒
【図１】
0005742191.tif 000002
【図２】
0005742191.tif 000003
【図３】
0005742191.tif 000004
【図４】
0005742191.tif 000005
【図５】
0005742191.tif 000006
【図６】
0005742191.tif 000007
【図７】
0005742191.tif 000008